(57)【要約】  医薬品の投与方法及び装置である。本方法は、ハウジング、医薬品を含みハウジング内部で可動の針付き注射器、１のハウジングの端部に配置される動作ボタンを含んでなり、前記ハウジングが他の端部において半径方向外向きに広がり、針付き注射器を目視可能に設計されている輸送器具に関する。広がりのある端部において前記ハウジングの皮膚接触面は該皮膚における滑りを制限するよう設計され、少なくとも１の注射標的誘導部が設けられている。前記器具を注射のためにポジショニングし、器具のハウジングを保持する側の手でいかなる所定の力によって注射部位に向かって押すことなく、反対側の手でハウジングの動作ボタンを操作し、それにより器具内の構成部品が前進動作を開始し、第一に自動的に針付き注射器を前進させて針を注射部位に刺入し、第二に自動的に前記注射器ピストンを前進させて前記刺入された注射針を通じて医薬品を注入する。
2008543500.tif 000002
【特許請求の範囲】
【請求項１】
医薬品の投与方法であって、
輸送器具を準備するステップを、含んでおり、
その輸送器具が、
軸方向に離れて存在する第１端部及び第２端部を有するハウジングと、
第１位置から第２位置へ軸方向に移動可能なように前記ハウジング内に装備された、医薬品を含む針付き注射器と、
前記ハウジングの前記第１端部の少なくとも１つの注射標的誘導部と、
を含んでおり、
前記注射針の噴射口が、前記第１位置に存在するときは前記ハウジング内の奥部に位置し、前記第２位置に存在するときは前記第１端部を越えて前記ハウジングから突出しており、
前記注射器が、前記注射針の噴射口を通じて前記注射器内に含まれる前記医薬品を押し出すための、前記第１端部に向かって前進可能なピストンを、有しており、
前記ハウジングの前記第１端部近傍の軸方向の一定長の領域が、前記第１端部に向かって半径方向外側に広がっており、且つ、前記針付き注射器を目視可能とするために、透明であるか又は覗き窓を備えるかのいずれか１つの特徴を有しており、
前記ハウジングの前記第１端部の皮膚接触面が、第１領域及び第２領域を含んでおり、前記第１領域が、皮膚上での滑りを制限するために、前記第２領域の材料よりも大きな摩擦係数を有する材料で構成されており、
また、片手で前記ハウジングの一部分を保持して、少なくとも１つの前記標的誘導部が意図する注射部位と並ぶように、前記輸送器具を前記ハウジングの前記皮膚接触面を介して皮膚に対して位置させる、ステップを、含んでおり、
更に、前記ハウジングの保持部分に対して輸送器具の一部を回転させてロック解除システムを操作するステップを、含んでおり、それにより、第２端部に配置されている動作ボタンが、前記ハウジングから離れるように軸方向に移動し、
ハウジングの一部分を保持している方の片手によるいかなる所定の力を用いて輸送器具のハウジングを注射部位に向かって押すことなく、他方の片手でハウジングに向かって軸方向に動作ボタンを押すことにより、前記輸送器具内の部品を前進させ、したがって、最初に、前記針付き注射器を前記第１位置から前記第２位置に自動的に前進させ、次いで、前記注射器のピストンを前記第２端部に向かって自動的に前進させる、ことを特徴とする方法。
【請求項２】
ロック解除システムを操作する前記ステップが、前記輸送器具を前記ハウジングの皮膚接触面を介して皮膚に対してポジショニングされながら、実施される、請求項１記載の方法。
【請求項３】
少なくとも１つの前記標的誘導部が、前記ハウジングの前記皮膚接触面の前記第１領域を含んでいる、請求項１記載の方法。
【請求項４】
片手で前記ハウジングの一部分を保持する前記ステップが、少なくとも１の前記標的誘導部が意図する注射部位と並ぶように、前記輸送器具を前記ハウジングの前記皮膚接触面を介して皮膚に対して位置させた後に、前記保持する手を調節して、前記針付き注射器を目視可能とするために透明である、前記ハウジングの軸方向領域の少なくとも実質的に全てを覆うことを、含んでいる、請求項１記載の方法。
【発明の詳細な説明】
【技術分野】
【０００１】
本発明は、医薬品輸送用器具に関し、具体的には、医薬品を自動的に輸送する器具に関する。
【背景技術】
【０００２】
多種の病気に罹患した患者は、自ら医薬品を注射しなくてはならない場合がしばしばある。自己の皮膚に注射針を刺入すること及び／又は前記注射器を操作し注射針を通じて医薬品を注射することに困難を覚える患者が存在するため、これらの作業を容易にするために種々の器具が提案されてきた。
【０００３】
器具の一形式としては、注射針を自動的に刺入させ、その刺入された注射針を通じて１回分の医薬を自動的に注射する。この形式の公知器具を用いる場合、患者は手操作でハンドルを旋回させ器具のロックを解除し、注射部位に器具を位置させ、この部位に向けて器具を強く押して器具のトリガを操作する必要がある。このように強く押すことにより、ハウジングの把握部が注射部位に向かってシフトし、器具の一部分が設置され、皮膚と反対側に位置する残りの部分が、皮膚に近い側に伸びているそのシフトしたハウジングと反対方向に、ハウジング内の皮膚から遠い側にスライドし、それにより注射針の皮膚への自動的な刺入、及びその刺入された注射針を通じた患者への注射がトリガーされる。
【０００４】
この形式以外の器具では、ロック解除のひねり動作以外はユーザによる操作が同様であり、刺入及び注射を行う際に器具を強く押し当てている間に、さらに安全ボタンを押す必要がある。
【発明の開示】
【発明が解決しようとする課題】
【０００５】
他の提案された器具と同様、これらの器具により恩恵を被る者がいる一方で、これらの器具の設計に対して、別の意味で困難を感じる者もいる。例えば、注射部位に向かって器具全体を押しつけて動作させる場合、ハウジングを握る手を注射部位に対して動かさねばならず、そうした手の動きをコントロールすることに当惑する又は困難を覚える者もいる。さらに、提案された器具に対して、器具が皮膚をすべるのではないか、あるいは注射している間に針の向きが適切ではないのではないかという点で、器具を正しく保持することに不安を覚える者もいる。さらに、提案された器具に対して、予め選んだ場所に正確に注射するのが難しいと思う者もいる。
【０００６】
すなわち、従来技術におけるこれらの１以上又は他の課題を解決するための装置の提供が求められている。
【課題を解決するための手段】
【０００７】
一態様において、本発明は、以下の医薬品の投与方法を提供する。すなわち、本発明は、輸送器具を準備するステップを、含んでおり、その輸送器具が、軸方向に離れて存在する第１端部及び第２端部を有するハウジングと、第１位置から第２位置へ軸方向に移動可能なように前記ハウジング内に装備された、医薬品を含む針付き注射器と、前記ハウジングの前記第１端部の少なくとも１つの注射標的誘導部と、を含んでおり、前記注射針の噴射口が、前記第１位置に存在するときは前記ハウジング内の奥部に位置し、前記第２位置に存在するときは前記第１端部を越えて前記ハウジングから突出しており、前記注射器が、前記注射針の噴射口を通じて前記注射器内に含まれる前記医薬品を押し出すための、前記第１端部に向かって前進可能なピストンを、有しており、前記ハウジングの前記第１端部近傍の軸方向の一定長の領域が、前記第１端部に向かって半径方向外側に広がっており、且つ、前記針付き注射器を目視可能とするために、透明であるか又は覗き窓を備えるかのいずれか１つの特徴を有しており、前記ハウジングの前記第１端部の皮膚接触面が、第１領域及び第２領域を含んでおり、前記第１領域が、皮膚上での滑りを制限するために、前記第２領域の材料よりも大きな摩擦係数を有する材料で構成されている。
本発明は、更に、片手で前記ハウジングの一部分を保持して、少なくとも１つの前記標的誘導部が意図する注射部位と並ぶように、前記輸送器具を前記ハウジングの前記皮膚接触面を介して皮膚に対して位置させる、ステップを、含んでおり、更に、前記ハウジングの保持部分に対して輸送器具の一部を回転させてロック解除システムを操作するステップを、含んでおり、それにより、第２端部に配置されている動作ボタンが、前記ハウジングから離れるように軸方向に移動し、ハウジングの一部分を保持している方の片手によるいかなる所定の力を用いて輸送器具のハウジングを注射部位に向かって押すことなく、他方の片手でハウジングに向かって軸方向に動作ボタンを押すことにより、前記輸送器具内の部品を前進させ、したがって、最初に、前記針付き注射器を前記第１位置から前記第２位置に自動的に前進させ、次いで、前記注射器のピストンを前記第２端部に向かって自動的に前進させる。
【０００８】
本発明の利点のひとつは、操作が直感的かつ簡便な医薬品輸送器具を提供できることである。
【０００９】
本発明の他の利点は、意図した注射部位に適切に配置した後は装置全体を動かす必要のない医薬品輸送器具を提供できることである。
【００１０】
本発明のまた別の利点は、位置決め及び注射の期間中に器具の滑りを制限するため、注射部位周辺の皮膚をかみ込むためのグリップ機能を備える医薬品輸送器具を提供できることである。
【００１１】
本発明のまた別の利点は、ユーザが望む位置に注射が実施されることの確認を補助する標的誘導部を備える医薬品輸送器具を提供することである。
【００１２】
本発明のさらに別の利点は、注射部位周辺で器具を安定させるために端部を広げ、広げた端部は透明であるか、又は内部に配置された注射針等の構成部品を目視できるよう構成され、また広げた端部により注射部位へ向かって軸方向の力が加えやすい、医薬品輸送器具を提供できることである。
【００１３】
参照記号は図示中の種々の対応部分に対応することを表す。図面は本発明の実施形態を代表するが、拡大縮小の必要はなく、また本発明をよりよく記述し説明するために図面中において強調又は省略する特徴もありうる。
【発明を実施するための最良の形態】
【００１４】
図１及び図２を参照し、本発明の医薬品輸送器具の第１の実施形態を示す。図面に関してこの詳細な記載における方向の参照、すなわち上下、上部、下部等は記載の都合によるものであって、それによって本発明やそのいかなる構成部品をいかなる特定の位置又は空間方向へと限定するものではない。
【００１５】
一般的に記号２０に示す輸送器具は、ユーザが片手を器具に乗せた状態で、一連の注射操作を開始する前に予め選んだ位置において皮膚上に器具を違和感なくポジショニングできるよう設計される。このようにポジショニングした後、器具上でユーザの手を動かす必要なく、刺入及び注射を他の手で操作できるので、器具が安定して違和感もない。器具を保持している手は、いかなるロック解除やトリガ動作に必要な力で、器具全体を注射部位に向かってしっかりと押しつける必要はない。器具２０は意図した位置に針の刺入が行われることのフィードバックを提供する。ユーザと器具２０の協働ストラテジーにより、注射手順の安定化及び心地よさと同様に、正確な針の刺入を助長する。器具２０は、標準的な充填済み注射器格納に基づく１回使用の給送器具である。注射器システムは即用式の形態で流通し、一定の投与量による単回投与を提供する。
【００１６】
一般的に記号２０に示す給送器具は、遠位端部２４及び近位端部２６を有する外部ハウジング２２を含んでなる。本願明細書で用いる「遠位」及び「近位」とは、使用時の給送器具の向きに関する、注射部位に対する給送器具上の軸方向の位置関係を指し、例えば、ハウジングの近位端部とはこの注射部位にもっとも近いハウジングの端部を指して言う。
【００１７】
外部ハウジング２２の外面周辺は、ユーザ又は介護者が位置選択及び注射の期間中に片手で握りやすい寸法、形状及び／又は構成をとり、リューマチ性関節炎患者等、ユーザが器用でない場合にも適応しうる。本願明細書に図示の外面周辺は、寸法は変わるが全体として軸長方向の形状は変化しないプラスチックの構成を有する。ハウジング２２の横方向の最大寸法又は周囲は、広がりのある底部を除き、２０〜３０ｍｍ、例えば約２５ｍｍ等である。軸長方向の全体にわたって、図示のハウジング外面周辺は横断面形状が非円形かつローブ状である。図示の三角ローブ状の形状はユーザの片手の指の間の空間に保持され、またその内部に収まり、あるいは本発明の範囲内で、円形又は直線状の形状、あるいはより少ないかローブ又はより多いローブ等、当業者に知られた他の形状に置き換えてもよい。軸長方向に不均一な形状や、基部を覆う柔軟な手触りの、又は強固なゴムグリップ層を含める等、他の構成を本発明の範囲内で用いてもよい。
【００１８】
外面周辺の近位領域又は基部２８はハウジングに対して外側に放射状に広がり、それにより安定化がもたらされ、ポジショニング及び注射の際の、ユーザーが下方に加える力も少なくてすむ。この下方への力は、皮膚上のスリップを制限する摩擦力を増やすことで傾きを安定させ、また器具のポジショニングを助長する。
【００１９】
図示の放射状領域２８は、近位端部２６から軸方向に約１４ｍｍの位置から始まり、近位端部２６に隣接する軸方向の位置で終わる。本願明細書において図示の放射形状に関して用いる「隣接」とは、放射形状が注射部位である皮膚接触表面３０から１ｍｍ以下まで続くことを意味する。図示の実施形態に関し放射状領域２８に向かってハウジングが内側にわずかに傾斜していることにより、放射状領域２８は軸方向のうねりの屈曲点から始まることになる。他の実施形態においては、図示の放射状領域２８は、ハウジングの軸方向に対して傾斜が無いか又は均一である形状の場合の近位端部における位置から始まってもよく、又は、外側に向かってわずかに傾斜し、端部における放射状の形態がより顕著になるハウジング筐体の近位端部における位置から始まってもよい。軸長方向において図示の放射状領域２８は内側に屈曲するか又は凹面である。放射状領域２８の図示した形状及び軸方向の位置関係により、ユーザが軸方向に近位の方向へ力を加える際に強い力で握る必要のない、即用式の、握る際に違和感のないハウジングとなりうる。放射形状は近位端部の面積がより大きくなる寸法なので、ユーザにとって注射部位における器具２０の安定保持がより簡便になり、注射に自信をもてるようになる。図示の放射状端部の最大横寸法はハウジングの他の部分の最大横寸法よりも大きいが、ハウジングの他の部分の最大横寸法よりも小さい放射状端部を有する態様であっても、本発明の範囲内に含まれうる。
【００２０】
さらに図７に、図１及び２に示した凹面ハウジングと関連の近い放射状ハウジング端部の一形式を、種々の寸法を伴う態様で概念的に示す。
【００２１】
放射状の近位端部からの高さ（Ｈｆ）は、ハウジングの近位端部に対して０〜２０ｍｍ、より好適には０〜１５ｍｍ、最も好適には０〜５ｍｍである。放射状端部の最も寸法の大きい横幅と、放射状端部の最も寸法の小さい横幅の差（Ｗｍａｘ、Ｗｍｉｎ）は、５〜５０ｍｍの範囲内、より好適には１０〜３０ｍｍの範囲であり、好適には１５ｍｍ程度である。放射形状の近位端部が水平方向となす角（θｆ）は、０〜７０°の範囲内である。勿論、この角度は、外側周辺部におけるエッジを柔らかくした放射状の凸部よりも手前側の放射形状による角度を指す。
【００２２】
ポジショニング及び注射の際の器具の取り扱いを容易にするため、他の放射状端部の形状も、本発明の範囲内に含まれうる。これらの放射状の形状には、ハウジングの近位端部又はその周縁部にフランジを有する形状、又は凸部の代わりに凹面の放射形状を有する形状等が包含される。
【００２３】
ハウジングの注射部位の皮膚と接触する表面３０には、ハウジング近位端部２６において放射状領域２８から内側に向けられる周縁フランジが形成される。フランジ３０は、器具２０の縦軸方向に中心窓３２を画定し、これを通じて注射針がハウジング２２から刺入の際に移動する。
【００２４】
図２に最良の形態を示すように、皮膚と接触する表面３０には、その表面周囲の全体にわたってオーバーモールド状のリング５５が設けられる。リング５５は、デュロメータ値ＳｈｏｒｅＡ硬度５０の熱軟化性弾性体等、比較的摩擦係数の大きな材料で形成され、注射をユーザの皮膚にポジショニングした際に密着し、器具２０が針の刺入及び注射の際に、患者の体における移動を減少させる。色彩の変化又は透明化等、中心窓３２周辺のリング５７、及びハウジング端部に向き半径方向に延長するライン５８による目視可能なガイド機構により、注射針が皮膚に刺入される部位をユーザが正確に目しできる機構が提供される。好適な実施形態において、標的誘導部５７、５８は、さらにスリップを制限するために、リング５５と同一のグリップ材料により表面３０にオーバーモールドされる。ハウジング２２の近位端部領域は、好適には、標的誘導部５７、５８を目視でき、ユーザが意図した注射針の刺入を容易にできるよう、並びに、器具２０の使用前に注射器が装備されていることをユーザが確認し、医薬品全量が輸送され、注射後にハウジング内に注射針が安全に引き抜かれたことを確認する必要により、周囲全体が透明である。
【００２５】
図１に、中心窓３２を覆う針キャップ３５を模式的に示す。これは器用でなくとも又は握る力が弱くても外せるように設計されている。キャップ３５は基部３６及び上向きの有孔部材３８を備える。基部３６はフランジ３０全体をカバーし、ハウジング近位端部２６周辺を超えて横方向に飛び出す寸法である。密閉部２８は中心窓３２を貫通する形で係合し、注射針を周囲から密封する形で嵌ることにより汚染を防止する。図示した一体型のキャップ構造でなくとも、部材３８を、基本的なコンテナ包装システムの一部としての既存のゴム製ニードルキャップとし、その一方で基部３６を部材３８の周辺から係合するプラスチック部品とする構造であってもよい。キャップ３５は、全くの手操作でハウジングから引き抜くか、例えば、テーブル等の平坦な表面にキャップ３５を固定した後で器具２０を引き離すことにより、図１に示したカバーの構成から取り外すことが可能である。基部３６は、キャップを握りやすくするために弾性材料でオーバーモールドされてもよい。
【００２６】
器具２０の遠位端部に、刺入及び医薬品注射を自動的に行うための動作ボタン５０が設けられている。図示の実施形態において、動作ボタン５０の上部は初期状態では一般的に器具ハウジング上部からわずかに露出した状態であり、器具はロックされている。ハウジングのロックスリーブ４５及びハウジング主部４６上のそれぞれの指標４２、４３が縦に並ばないときは、このロックがなされているものとしてユーザに示されるが、その他の表示システムを柔軟に用いたものも本発明に包含される。ロックスリーブ４５を旋回させて指標４２、４３が縦に並ぶと、ボタン５０は遠位方向に突出し、図２に示すように器具２０のロックが解除されて使用可能な状態になる。ロックスリーブ４５は、手先の器用さに制約のあるユーザでも旋回できるように、ゴム被覆したプラスチック環等の握りやすい材料で大型に設計される。ボタン５０の高さに沿って周囲を着色することにより、ボタンの突出をユーザが容易に認知できるようになる。安全ロックシステムは器具２０の遠位端部に位置しているため、器具本体が他の手で握られていても動作が容易となる。動作ボタンは、負傷した手や器用さに制約のある状態の患者が使いやすいように設計されている。このボタンの形状及び寸法により、指先ではなく手のひらでも全体的な動作を起こせる。
【００２７】
別の実施形態においては、動作ボタンは、それを直接旋回させることでロックが解除され、それを近位方向に押すことで動作が開始される態様の部品であってもよい。このような変形例の１つとしては、ハウジングと接する形で外部への広がりを有する動作ボタンが考えられ、それはロック解除のために旋回させると遠位へ移動し、該遠位の位置から近位方向へ押すことにより動作が開始されるものである。
【００２８】
本発明の範囲内において、飛び出しボタンを種々の様態としてもよい。上記のボタンを、ロック解除のためのロックスリーブの旋回が実質的に完了するか、又はロックスリーブの回転が開始されるか、又はそれらの中間のタイミングでボタンが飛び出すよう設計してもよい。ロックスリーブの旋回が完了してロックが解除された時点で始めてボタンが飛び出すようにしたい場合には、ボタンの設計を、旋回中はロックスリーブと共に旋回し、ロックスリーブの旋回が完了した位置においてバイアスがかかりさらに回転し、次いで、ロックスリーブに沿って上方にカム動作して操作位置へ移動し、その後のボタン押し操作により器具の内部における動作が適切に実施される態様で行ってもよい。ロックスリーブの回転開始直後にボタンが飛び出すようにしたい場合は、例えば、後述する図３の実施形態に関する記載のように構成してもよい。さらに、他の実施形態においては、ロック解除時のボタン飛び出しや移動がなくてもよい。
【００２９】
動作ボタン５０が押されると、一般的に記号６５で示す、ハウジング内の針付き注射器が自動的に近位方向に押し出され、注射器の針がフランジの中心窓３２を通過して注射部位に刺入される。次いで、内容物を差し込まれた針に通過させるために、注射器ピストンが注射器内で近位方向に押されると、注射器内容物は自動輸送される。
【００３０】
針の刺入及び注射の完了後、器具２０はハウジング２２内部の針を自動的に抜くよう構成され、ユーザから針を隠すと同様に、ユーザに注射の完了を示す。
【００３１】
ハウジング２２内部にある輸送器具２０の構成部品は、上述の機能を達する種々の形態で提供されてもよい。最初に針を自動的に刺入し、次に針から医薬品を自動的に注射するための自動注射機構には多くの組み合わせが公知であり、適宜選択して使用できる。例えば、圧縮スプリング又は環状発泡部材等の減衰システム等を含めうるスプリングシステムを用いて、刺入動作の最後における雑音及び振動を減少させてもよい。同様に、注射器内の医薬品が注射された後に、ハウジング内の針付き注射器を引き戻すか、又は前方位置にある針付き注射器に針カバーを掛ける機構の組み合わせも多数公知であり、使用できる。
【００３２】
図３を参照し、本発明の範囲に含まれる１つの輸送器具の内部動作を模式的に示す。輸送器具７０はキャリッジ７７に装備される標準型の針付き注射器７５を含んでなる。注射器７５はハウジング８２内部のガイドカラー８０内を軸方向にスライドさせることができる。キャリッジ７７は、螺旋状のばね８４により上方にばね付勢されている。ハウジング筐体８２内部の、ガイドカラー８０の遠位方向に一対の引き戻し突起８６が設けられている。ハウジングに対して旋回可能に固定されているプランジャ８９は、器具内部で長手方向に延び、注射器７５のピストン７６と接触する近位端部９０を有する。プランジャ８９の遠位端部はラッチ端部９７を伴う、一対の弾性フィンガ９５を含んでなり、ハウジング筐体８２に回転可能に装備される安全ロックスリーブ１０２の貫通孔付きフランジ１００を通過嵌合して固定される。針刺入及び輸送用ばね１０５は、スリーブ１０２の折込み部等のハウジングに接触する一端と、カラー１１０に接触する他端とを有する。カラー１１０は、ハウジング筐体内の図示しない通路を進む図示しない部分を含んでなる。カラー１１０は、ハウジング筐体に対する第１の配向位置において、プランジャ８９の半径方向に広がる突出部９１と接触する近位表面を有する。
【００３３】
動作ボタン１１２はスリーブ１０２の遠位部分内の中空に装備される。ボタン１１２は図３に図示しない部分を有するぶら下がりフランジ１１４を含んでなり、後述の飛出可能位置に向かって旋回させることによりラッチ９７と係合する。このフランジ１１４の図示しない部分は、図示のフランジ部と半径が同じ位置にあり、図示のフランジ部よりもより近位側でぶら下がるものでもよく、又は、同じ高さであるが図示のフランジ部よりも器具の軸に対して半径方向に近づいていてもよい。フランジ１１４の図示した部分自体はラッチとは係合しないが、ばね１１６をボタンに対して強固に配置する助けになる。
【００３４】
注射するために、キャップ１２０を手操作で外し、安全ロックスリーブ１０２をユーザがハウジング筐体に対して旋回すると、動作ボタンも共に回転し、図示しないハウジングの突起による停止係合から解放され、この解放によるばね動作で動作ボタン１１２が遠位方向に飛び出す。スリーブ１０２が十分に回転すると、フランジ１１４のより遠方側でぶら下がるか又は半径方向の内側の図示しない部分の方向が変化し、続いてボタン１１２を手操作で押すとラッチ端部９４が接触して内側に押し込まれ、フランジ１０２を貫通通過できるようになる。次いでばね１０５がカラー１１０を、さらにプランジャ８９を近位側に向かって押し、これはまず注射針７３をハウジングから近位方向へ前進させてユーザに刺入し、次いで刺入された針を通じてカートリッジから医薬品を押し出す。プランジャ８９が十分に近位方向に移動して適切な注射が行われた後、カラー１１０はカム突起８６が配置された位置に到達し、この突起は突出部９１がカラーを通過できる角度の向きにカラー１１０を傾ける。この時点で、ばね１０５よりも弱いばね８４が開放されてカートリッジ７７及び針付き注射器７５を押し出し、プランジャ８９はカラー１１０を通過して遠位方向に移動し、針先はハウジング筐体８２の中に引き込まれる。
【００３５】
図４〜６に示す種々の段階における実施形態において、本発明の器具１３０は、動作ボタンを１回押してトリガされると、第１のばねを利用して針を刺入し、第２のばねでこの針からの注射を行う。ロック解除時に上方付勢するトリガボタンを供えるもの、近位端部が広がる形状のもの、又は注射完了後に針の引き戻しを有するような器具１３０は図示していないが、本発明の範囲内にてそれらの１つ以上の態様を提供してもよい。
【００３６】
本実施形態において、キャリッジ１３２は、ハウジング筐体１３８に対して不動固定されるハウジングキャップ１３６の開口部を通じて延びているフレキシブルラッチ１３４により、開放可能に保持される。キャリッジ１３２は外側を周回する肩部１４９を含んでなる。差し込みばね１４２は、ハウジングの１４４位置と肩部１４０の間に圧縮されている。キャリッジ１３２の中空内部には、キャリッジ上部端とプランジャ１５０の円盤部１４８の間に注射ばね１４６が配置されている。カム動作可能なラッチ１５４を備える一対のプランジャアーム１５２は、その端部が円盤部１４８から遠位方向及び半径方向に伸びている。ラッチ１５４はキャリッジ１３２の側壁内の開口部を通じて延びている。ラッチ１５４とキャリッジ壁との係合により、プランジャ１５０はキャリッジに対して近位方向への移動を妨げられる。プランジャ１５０はロッド１５６を備え、このロッドは円盤部１４８を受け止め、軸方向に延びて針付き注射器１６０内部に入り、注射器ピストン１６２と接触する。注射器１６０の容器及び針はキャリッジ１３２の近位端部に共に移動可能に装備される。待機状態の輸送器具１３０は、図４に示すように配置される。
【００３７】
ユーザは輸送器具１３０を利用したい時に、ハウジングキャップ１３６内のトリガボタン１６６を一度押すと、ボタンフランジ１７０が内部でラッチ１３４をカム動作させる。ばね１６８は遠位方向にボタン１６６をバイアスし、ボタンの押し込みがあるまでフランジ１７０にラッチ１３４が接触しないようにする。ラッチがこのように内側に動くことで、キャリッジ１３２が開放され、差し込みばね１４２は近位端部にキャリッジ１３２を押し出す。この駆動中に、針付き注射器１６０はキャリッジと共にユニットとして移動するが、キャリッジに対しするプランジャ１５０のラッチ係合によって軸方向に固定されているため、医薬品が押し出されない。ばね１４２は近位端部への送り出しを続けるが、ハウジング肩部１７７上に配置された環状の発泡体又は弾性材料等のダンピング部１７５によって、針付き注射器１６０が近位端部の開口部を貫通する状態で、ハウジングはキャリッジの動きを停止する。
【００３８】
しかしながら、このようにキャリッジが停止するとプランジャラッチ１５４は、ハウジング筐体に装備されているか又は内部に形成される置換トリガ１８０と接触する場所に達する。この接触により、注射ばね１４６がプランジャ１５０を近位方向へ押し始めると、ラッチ１５４は半径方向内側に押されキャリッジ内部に押し込まれる。この点における器具１３０の構成を、図５に示す。
【００３９】
ばね１４６はプランジャ１５０を近位方向へ押し続けることで、シリンジ１６２を近位方向に駆動して、医薬品を注射器から押し出す。ばね１４６が伸張を完了してプランジャの押し出しが完了する時の、輸送器具１３０の構成を図６に示す、
【００４０】
本発明を好適なデザインを有するものとして図示し記載してきたが、この開示の技術的思想及び範囲内において本発明に変更を加えてもよい。そのため、本明細書は、その共通の原理原則を用いる形での本発明の任意の変更、使用又は用途を包含することを意図している。さらに、本明細書は、本発明の開示に基づくそのような逸脱をも、本発明の属する技術分野において公知又は慣用慣例の範囲内に入るものとして包含することを意図している。
【図面の簡単な説明】
【００４１】
本発明の上述した利点及び他の利点、並びにこれらを達成する方法は、以下の本発明の実施形態の記載及びこれに伴う以下の関連図面を参照することにより明らかになり、本発明自身もよりよく理解されよう。
【図１】器具ハウジング近位端部に器具キャップを装着した、本発明の医薬品輸送器具の前面斜視図である。
【図２】キャップを外しロック解除状態にした、図１の医薬品輸送器具の斜視図である。
【図３】本発明の医薬品輸送器具の適切な内部構成を示す縦方向断面の模式図である。
【図４】準備状態における本発明の医薬品輸送器具の別の適切な内部構成を示す縦方向断面の模式図である。
【図５】動作開始後、注射針が自動的に刺入されたが、まだ自動注射に至らない時点の、図４の器具の模式図である。
【図６】自動注射に至った後の図５の器具の模式図である。
【図７】放射状に広げたハウジング端部をさらに規定するための概要図である。
【図１】
2008543500.tif 000003
【図２】
2008543500.tif 000004
【図３】
2008543500.tif 000005
【図４】
2008543500.tif 000006
【図５】
2008543500.tif 000007
【図６】
2008543500.tif 000008
【図７】
2008543500.tif 000009